(57)【要約】【課題】発光体（タリーランプ）の視認性を向上することができるテレビレンズ装置を提供する。【解決手段】  上面、下面、左側面、及び、右側面を備えた筒体であるフロントカバーと、前端側左上隅部及び前端側右上隅部それぞれに開口が形成された筒体である本体カバーと、を備えるレンズカバーと、前記開口を覆うタリーランプ用窓と、前記レンズカバーが着脱されるレンズ本体の外周面に設けられており、前記タリーランプ用窓を介して視認される発光体と、を備えたテレビレンズ装置において、前記フロントカバーの上面と前記左側面との間のフロントカバー部分、及び、前記フロントカバーの上面と前記右側面との間のフロントカバー部分をそれぞれ傾斜面として構成することにより、前記タリーランプ用窓の少なくとも一部又は全部を前記フロントカバーの外側に位置させたことを特徴とするテレビレンズ装置。【選択図】  図１
2008124913.tif 000002
【特許請求の範囲】
【請求項１】
上面、下面、左側面、及び、右側面を備えた筒体であるフロントカバーと、前端側左上隅部及び前端側右上隅部それぞれに開口が形成された筒体である本体カバーと、を備えるレンズカバーと、
前記開口を覆うタリーランプ用窓と、
前記レンズカバーが着脱されるレンズ本体の外周面に設けられており、前記タリーランプ用窓を介して視認される発光体と、
を備えたテレビレンズ装置において、
前記フロントカバーの上面と前記左側面との間のフロントカバー部分、及び、前記フロントカバーの上面と前記右側面との間のフロントカバー部分をそれぞれ傾斜面として構成することにより、前記タリーランプ用窓の少なくとも一部又は全部を前記フロントカバーの外側に位置させたことを特徴とするテレビレンズ装置。
【請求項２】
前記タリーランプ用窓は、傾斜して配置されている色付透明板であることを特徴とする請求項１に記載のテレビレンズ装置。
【請求項３】
前記タリーランプ用窓は、前記本体カバー上面と面一の色付透明板、前記本体カバー側面と面一の色付透明板、及び、前記本体カバー前面と面一の色付透明板を含むことを特徴とする請求項１に記載のテレビレンズ装置。
【請求項４】
前記本体カバーの側面には、前記本体カバー内部に突出した取っ手部が設けられており、
前記発光体は、前記レンズ本体に対して前記カバーを脱着する際、前記取っ手部と干渉しない位置に設けられていることを特徴とする請求項１から３のいずれかに記載のテレビレンズ装置。
【請求項５】
前記レンズ本体の外周面には前記タリーランプ用窓と略平行な発光体装着面を有する発光体支持部を備えており、前記発光体は前記発光体装着面に装着されることを特徴とする請求項３に記載のテレビレンズ装置。
【請求項６】
前記発光体近傍の前記レンズ本体の外周面に設けられており、前記発光体の発光を前記タリーランプ用窓に向けて反射するための反射体をさらに備えることを特徴とする請求項１から５のいずれかに記載のテレビレンズ装置。
【発明の詳細な説明】
【技術分野】
【０００１】
本発明は、テレビレンズ装置に係り、特にテレビレンズ装置に接続されたテレビカメラの動作状態に応じて点灯するタリーランプが設けられたテレビレンズ装置に関する。
【背景技術】
【０００２】
スタジオ内のテレビ撮影や屋外のスポーツ中継等においては、ＥＦＰレンズ装置と称される箱型のテレビレンズ装置が広く用いられている（特許文献１）。図１５に示すように、特許文献１に記載のテレビレンズ装置１０´は、レンズ本体１２´、レンズカバー１４´を備えている。レンズカバー１４´は、レンズ本体１２´を包囲するためのものであり、角筒状の本体カバー１８´の前端面に角筒状のフロントカバー１６´の後端面を組み付けることによって構成されている。
【０００３】
レンズ本体１２´外周面には、テレビレンズ装置１０´に接続されたテレビカメラの動作状態に応じて点灯するＬＥＤ等の発光体（図示せず）が設けられている。この発光体は、本体カバー１８´の前端面及び両側面に設けられた開口部を覆う赤色透明板２０´、２２´に対向している。カメラマン、キャスター等の被撮影者、及び撮影に従事するスタッフ等は、発光体の発光を、赤色透明板２０´、２２´を介して外部から視認することで、テレビレンズ装置に接続されたテレビカメラが撮影動作中であることを把握することになる。
【特許文献１】特開２００５−３５２２８１号公報
【発明の開示】
【発明が解決しようとする課題】
【０００４】
しかしながら、特許文献１に記載のテレビレンズ装置１０´では、赤色透明板２０´、２２´が本体カバー１８´の前端面及び両側面にのみ設けられているので、カメラマン等が被写体側と両側面側以外の場所に位置した場合、発光体の発光を視認するのが困難であるという問題がある。特に、本体カバー１８´の前端面に設けられた赤色透明板２０´はフロントカバー１６´で覆われているので、この前端面に設けられた赤色透明板２０´を介して発光体を視認するのが困難である。
【０００５】
本発明は、このような事情に鑑みてなされたもので、発光体（タリーランプ）の視認性を向上することができるテレビレンズ装置を提供することを目的とする。
【課題を解決するための手段】
【０００６】
請求項１に記載の発明は、上面、下面、左側面、及び、右側面を備えた筒体であるフロントカバーと、前端側左上隅部及び前端側右上隅部それぞれに開口が形成された筒体である本体カバーと、を備えるレンズカバーと、前記開口を覆うタリーランプ用窓と、前記レンズカバーが着脱されるレンズ本体の外周面に設けられており、前記タリーランプ用窓を介して視認される発光体と、を備えたテレビレンズ装置において、前記フロントカバーの上面と前記左側面との間のフロントカバー部分、及び、前記フロントカバーの上面と前記右側面との間のフロントカバー部分をそれぞれ傾斜面とすることにより、前記タリーランプ用窓の少なくとも一部又は全部を前記フロントカバーの外側に位置させたことを特徴とする。
【０００７】
請求項１に記載の発明によれば、フロントカバーの上面と前記左側面との間のフロントカバー部分、及び、前記フロントカバーの上面と前記右側面との間のフロントカバー部分をそれぞれ傾斜面として構成することにより、タリーランプ用窓の少なくとも一部又は全部がフロントカバーの外側に位置することになる。すなわち、タリーランプ用窓は、従来のようにフロントカバーで覆われていないので、外部からの視認性が向上する。
【０００８】
請求項２に記載の発明は、請求項１に記載の発明において、前記タリーランプ用窓は、傾斜して配置されている色付透明板であることを特徴とする。
【０００９】
請求項２に記載の発明によれば、タリーランプ用窓は、傾斜して配置されているのでこれによっても外部からの視認性が向上する。
【００１０】
請求項３に記載の発明は、請求項１に記載の発明において、前記タリーランプ用窓は、前記本体カバー上面と面一の色付透明板、前記本体カバー側面と面一の色付透明板、及び、前記本体カバー前面と面一の色付透明板を含むことを特徴とする。
【００１１】
請求項３に記載の発明によれば、タリーランプ用窓は、本体カバー上面と面一の色付透明板、本体カバー側面と面一の色付透明板、及び、本体カバー前面と面一の色付透明板を含んでいるので、これによっても外部からの視認性が向上する。
【００１２】
請求項４に記載の発明は、請求項１から３のいずれかに記載の発明において、前記本体カバーの側面には、前記本体カバー内部に突出した取っ手部が設けられており、前記発光体は、前記レンズ本体に対して前記カバーを脱着する際、前記取っ手部と干渉しない位置に設けられていることを特徴とする。
【００１３】
請求項４に記載の発明によれば、レンズ本体に対して本体カバーを着脱する際、発光体及び発光体支持部が取っ手部と干渉するのを防止し得る。
【００１４】
請求項５に記載の発明は、前記レンズ本体の外周面には前記タリーランプ用窓と略平行な発光体装着面を有する発光体支持部を備えており、前記発光体は前記発光体装着面に装着されることを特徴とする。
【００１５】
請求項５に記載の発明によれば、発光体装着面に装着された発光体の発光面とタリーランプ用窓とが平行になるので、均一な発光を外部から視認できる。
【００１６】
請求項６に記載の発明は、前記発光体近傍の前記レンズ本体の外周面に設けられており、前記発光体の発光を前記タリーランプ用窓に向けて反射するための反射体をさらに備えることを特徴とする。
【００１７】
請求項６に記載の発明によれば、発光体の発光面とタリーランプ用窓とが平行でなくても、均一な発光を外部から視認できる。
【発明の効果】
【００１８】
本発明によれば、発光体の視認性を向上することができるテレビレンズ装置を提供することが可能となる。
【発明を実施するための最良の形態】
【００１９】
以下、本発明の第一実施形態であるテレビレンズ装置について図面を参照しながら説明する。
【００２０】
図１は、本発明の第一実施形態であるテレビレンズ装置が適用されたＥＦＰレンズ装置１０の全体構成を示した斜視図である。図２は、図１のＥＦＰレンズ装置１０の側面図である。図３は、図１のＥＦＰレンズ装置１０の平面図である。図４は、図１のＥＦＰレンズ装置１０の正面図である。
【００２１】
図１から図４に示すように、ＥＦＰレンズ装置１０は、主として、レンズ本体１２、このレンズ本体１２を包囲するレンズカバー１４、カメラ装置を装着するためのマウント部等を備えている。レンズカバー１４は、フロントカバー１６と本体カバー１８とを組み合わせて構成される。
【００２２】
フロントカバー１６は、上面１６Ｔ、側面１６Ｒ、１６Ｌ、及び、下面１６Ｕを備えている筒体である。上面１６Ｔと側面１６Ｒとは傾斜面１６ＩＲを介して連続しており、同様に、上面１６Ｔと側面１６Ｌとも傾斜面１６ＩＬを介して連続している。なお、傾斜面１６Ｒ、１６Ｌは、平面に限られない。例えば、円弧または円弧が連続する曲面であってもよいし、あるいは、平面、曲面の表面に凹凸等の加工が施されているものであってもよい。
【００２３】
本体カバー１８は、上面１８Ｔ、側面１８Ｒ、１８Ｌ、下面１８Ｕ、及び、前端面（図示せず）等を備えている角筒形状の筒体である。本体カバー１８の前端面には、レンズ本体１２が挿通される開口（図示せず）が形成されている。本体カバー１８は、その前端側左上隅部（の三角錐部分）及び右上隅部（の三角錐部分）が切り取られた状態となっている。すなわち、本体カバー１８の前端側左上隅部及び右上隅部には、三角形の開口１８ａ、１８ａが形成されている。この開口１８ａ、１８ａは、傾斜して配置された三角形の透明板であるタリーランプ用窓２０で覆われている。タリーランプ用窓２０は、例えば、合成樹脂で形成される赤色透明板である。レンズカバー１４は、本体カバー１８の前端面に、フロントカバー１６の後端面を組み合わせて構成されている。なお、タリーランプ用窓２０は、平板に限られない。例えば、円弧または円弧が連続する曲面を持つ板であってもよいし、あるいは、平板、曲面を持つ板の表面に凹凸等の加工が施されているものであってもよい。
【００２４】
図５に示すように、レンズ本体１２は、レンズ２４が収納されている鏡筒２６、及び、この鏡筒２６の後端が組み付けられるマウントフレーム２８等を備えている。
【００２５】
図６に示すように、鏡筒２６の外周面には、発光体３０が装着される発光体装着面２７ａを有する発光体支持部２７が設けられている。発光体装着面２７ａはタリーランプ用窓２０と略平行であり、レンズ本体１２にレンズカバー１４を装着すると、発光体装着面２７ａとタリーランプ用窓２０との位置関係は図７に示すようになる。これにより、発光体３０の発光を、タリーランプ用窓２０を介して外部から視認することが可能となる。また、発光体装着面２７ａに装着された発光体３０の発光面（図５に示す発光体３０では複数の発光ダイオード３４の頭部により発光面が形成されている）とタリーランプ用窓２０とが平行になるので、均一な発光を外部から視認できる。
【００２６】
以上説明したように、本実施形態のテレビレンズ装置では、フロントカバー１６の上面１６Ｔと右側面１６Ｒとの間のフロントカバー部分、及びフロントカバー１６の上面１６Ｔと左側面１６Ｌとの間のフロントカバー部分をそれぞれ傾斜面１６ＩＲ、傾斜面１６ＩＬとして構成することにより、タリーランプ用窓２０の少なくとも一部又は全部がフロントカバー１６の外側に位置することになる。すなわち、タリーランプ用窓２０は、従来のようにフロントカバーで覆われていないので、外部からの視認性が向上する。さらに、タリーランプ用窓２０は、傾斜しているのでこれによっても外部からの視認性が向上する。
【００２７】
なお、発光体３０としては、ＬＥＤ、白熱電球等の各種のものを採用することが可能である。本実施形態では、図５に示すように、発光体３０として、電子回路基板３２上に複数の発光ダイオード３４（図では五つの発光ダイオードを例示）を実装したもの（特開２００５−３５２２８１号）を採用している。
【００２８】
なお、本体カバー１８の両側面それぞれには、本体カバー１８内部に突出した取っ手部３６が設けられているので、レンズ本体１２に対して本体カバー１８を着脱する際、発光体３０及び発光体支持部２７が取っ手部３６と干渉するおそれがある。これを防止するため、図７に示すように、発光体３０（及び発光体支持部２７）を、例えば、取っ手部３６と干渉しない位置に設けるようにしてもよい。
【００２９】
次に、変形例について説明する。
【００３０】
上記実施形態では、タリーランプ用窓２０は、傾斜して配置された三角形の透明板であるように説明したが、本発明はこれに限定されない。例えば、タリーランプ用窓２０は、図８から図１１に示すように、本体カバー１８の上面１８Ｔと面一の透明板２０Ｔ、本体カバー１８の側面１８Ｒ、１８Ｌと面一の透明板２０Ｒ、２０Ｌ、及び、本体カバー１８の前端面と面一の透明板２０Ｆを含むものであってもよい。なお、各透明板２０Ｔ、２０Ｒ、２０Ｌ、２０Ｆは、平板に限られない。例えば、円弧または円弧が連続する曲面を持つ板であってもよいし、あるいは、平板、曲面を持つ板の表面に凹凸等の加工が施されているものであってもよい。
【００３１】
このタリーランプ用窓２０も、従来のようにフロントカバーで覆われていないので、外部からの視認性が向上する。さらに、このタリーランプ用窓２０は、本体カバー１８の上面１８Ｔと面一の透明窓２０Ｔ、本体カバー１８の側面１８Ｒ、１８Ｌと面一の透明板２０Ｒ、２０Ｌ、及び、本体カバー１８の前面と面一の透明板２０Ｆを含んでいるので、これによっても外部からの視認性が向上する。
【００３２】
この構成のタリーランプ用窓２０の場合も、第一実施形態で説明したのと同様の発光体３０を発光体装着面２７に装着するようにしてもよいが、本発明はこれに限定されない。例えば、図１２に示すように、発光体３０として、ＬＥＤ３４等が装着された面であって本体カバー１８の上面１８Ｔと略平行な発光面３０Ｔ、ＬＥＤ３４等が装着された面であって本体カバー１８の側面１８Ｒ、１８Ｌと略平行な発光面３０Ｒ、３０Ｌ、及び、ＬＥＤ３４等が装着された面であって本体カバー１８の前端面と略平行な発光面３０Ｆを備えたものを採用してもよい。
【００３３】
また、上記実施形態では、レンズ本体１２に対して本体カバー１８を着脱する際、発光体３０（及び発光体支持部２７）が取っ手部３６と干渉するのを防止するため、発光体３０（及び発光体支持部２７）は、取っ手部３６と干渉しない位置に設けられているように説明した。この場合、発光体３０（及び発光体支持部２７）を設ける位置によっては、発光体装着面２７ａとタリーランプ用窓２０との平行を維持できなくなる。この場合、発光体装着面２７ａに装着された発光体３０の発光面（図５に示す発光体３０では複数の発光ダイオード３４の頭部により発光面が形成されている）とタリーランプ用窓２０とが平行ではないので、外部から視認される発光は不均一なものとなる。これを防止するために、図１３、図１４に示すように、発光体３０近傍の鏡胴２６の外周面に、発光体３０の発光をタリーランプ用窓２０に向けて反射するためのミラー等の反射体３８を設けてもよい。このようにすれば、発光体３０の発光面とタリーランプ用窓２０とが平行でなくても、均一な発光を外部から視認できる。
【００３４】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３５】
【図１】本発明の第一実施形態であるテレビレンズ装置が適用されたＥＦＰレンズ装置１０の全体構成を示した斜視図である。
【図２】図１のＥＦＰレンズ装置１０の側面図である。
【図３】図１のＥＦＰレンズ装置１０の平面図である。
【図４】図１のＥＦＰレンズ装置１０の正面図である。
【図５】レンズ本体１２の斜視図である。
【図６】発光体３０が装着される発光体支持部２７を説明するための図である。
【図７】発光体装着面２７ａとタリーランプ用窓２０との位置関係を説明するための図である。
【図８】本発明の第一実施形態であるテレビレンズ装置の変形例を示した斜視図である。
【図９】図８のＥＦＰレンズ装置１０の側面図である。
【図１０】図８のＥＦＰレンズ装置１０の平面図である。
【図１１】図８のＥＦＰレンズ装置１０の正面図である。
【図１２】変形例を説明するための図である。
【図１３】変形例を説明するための図である。
【図１４】変形例を説明するための図である。
【図１５】従来例を説明するための図である。
【符号の説明】
【００３６】
１０…ＥＦＰレンズ装置、１２…レンズ本体、１４…レンズカバー、１６…フロントカバー、１８…本体カバー、２０…タリーランプ用窓、２４…レンズ、２６…鏡胴、２７…発光体支持部、２８…マウントフレーム、３０…発光体、３２…電子回路基板、３４…発光ダイオード、３６…取っ手部、３８…反射体
【図１】
2008124913.tif 000003
【図２】
2008124913.tif 000004
【図３】
2008124913.tif 000005
【図４】
2008124913.tif 000006
【図５】
2008124913.tif 000007
【図６】
2008124913.tif 000008
【図７】
2008124913.tif 000009
【図８】
2008124913.tif 000010
【図９】
2008124913.tif 000011
【図１０】
2008124913.tif 000012
【図１１】
2008124913.tif 000013
【図１２】
2008124913.tif 000014
【図１３】
2008124913.tif 000015
【図１４】
2008124913.tif 000016
【図１５】
2008124913.tif 000017